(57)【要約】【課題】小型化できる洗車機及び洗車方法を提供する。【解決手段】被洗浄車両ＣＡに対して前後に移動して洗車開始時に所定の洗車開始位置に配される洗車機本体１と、洗車機本体１に配される左右一対の第１サイドブラシ５と、第１サイドブラシ５に対して洗車機本体１の入口面１ａ側に配されるとともに被洗浄車両ＣＡの上面を洗浄するトップブラシ４と、トップブラシ４に対して第１サイドブラシ５の反対側に配される第２サイドブラシ３０とを備え、第１サイドブラシ５によって被洗浄車両ＣＡの両側面の前部を洗浄し、第２サイドブラシ３０によって被洗浄車両ＣＡの両側面の後部及び被洗浄車両ＣＡの後面を洗浄する。【選択図】図５
2019064590.tif 000002
【特許請求の範囲】
【請求項１】
被洗浄車両に対して前後に移動して洗車開始時に所定の洗車開始位置に配される洗車機本体と、
前記洗車機本体に配される左右一対の第１サイドブラシと、
前記第１サイドブラシに対して前記洗車機本体の入口面側に配されるとともに被洗浄車両の上面を洗浄するトップブラシと、
前記トップブラシに対して前記第１サイドブラシの反対側に配される第２サイドブラシと
を備え、
前記第１サイドブラシによって被洗浄車両の両側面の前部及び被洗浄車両の前面を洗浄し、
前記第２サイドブラシによって被洗浄車両の両側面の後部及び被洗浄車両の後面を洗浄し、
一つの前記第２サイドブラシによって被洗浄車両の両側面及び後面を洗浄することを特徴とする洗車機。
【請求項２】
前記洗車機本体による洗車の開始時に前記第２サイドブラシが被洗浄車両の助手席側に配されることを特徴とする請求項１に記載の洗車機。
【請求項３】
前記洗車機本体が左右に対向する２つのスタンド部と、前記スタンド部の上端を連結する天井部とを有した門型に形成され、前記洗車機本体を前記洗車開始位置へ復帰させる操作を行う復帰部を両方の前記スタンド部に設けたことを特徴とする請求項１又は２に記載の洗車機。
【請求項４】
前記洗車機本体が前後ストロークの終端近傍に配された際に前記第２サイドブラシを停止することを特徴とする請求項１〜３のいずれかに記載の洗車機。
【発明の詳細な説明】
【技術分野】
【０００１】
本発明は被洗浄車両を洗浄する回転ブラシを備えた洗車機及び洗車方法に関する。
【背景技術】
【０００２】
給油所等に洗車機が設置される従来の洗車機は特許文献１に開示される。この洗車機は被洗浄車両を跨ぐ門型の洗車機本体を備える。洗車機本体は洗浄部及び乾燥部を有し、被洗浄車両の走行路に沿って前後方向に移動する。
【０００３】
洗浄部は上部に配したトップブラシ及び両側部に配したサイドブラシから成る複数の回転ブラシを有している。トップブラシは昇降可能に設けられ、サイドブラシは左右方向に移動可能に設けられる。また、トップブラシはサイドブラシよりも洗車機本体の入口面側に配される。各回転ブラシは駆動モータによって回転して被洗浄車両を洗浄する。
【０００４】
乾燥部は上部に配したトップ送風ノズル及び両側部に配したサイド送風ノズルから成る複数の送風ノズルを有している。トップ送風ノズルは昇降可能に設けられる。各送風ノズルは被洗浄車両に空気を送出して被洗浄車両を乾燥させる。
【０００５】
上記構成の洗車機において、所定の洗車条件が設定されると、洗車機本体が前後方向に移動して洗浄部による洗浄が行われる。被洗浄車両の上面はトップブラシが昇降するとともに洗車機本体の移動に伴って前後移動することにより洗浄される。被洗浄車両の両側面はサイドブラシが洗車機本体の移動に伴って前後移動することにより洗浄される。被洗浄車両の前後面は洗車機本体を停止して両サイドブラシが互いに接近することにより洗浄される。
【０００６】
洗浄部による洗浄に続いて乾燥部による乾燥が行われる。被洗浄車両の上面はトップ送風ノズルが昇降するとともに洗車機本体の移動に伴って前後移動することにより洗浄される。被洗浄車両の両側面はサイド送風ノズルが洗車機本体の移動に伴って前後移動することにより洗浄される。被洗浄車両の前後面は洗車機本体を停止してトップ送風ノズルが昇降することにより洗浄される。これにより、被洗浄車両の洗車が行われる。
【先行技術文献】
【特許文献】
【０００７】
【特許文献１】特開平０６−１７１４７６号公報
【発明の概要】
【発明が解決しようとする課題】
【０００８】
しかしながら、上記従来の洗車機によると、トップブラシよりも前方（入口面の反対側）に配されるサイドブラシにより被洗浄車両の後面が洗浄されるため、被洗浄車両の後方に洗車機本体が移動できるスペースを広く必要とする。即ち、少なくともサイドブラシの半径、サイドブラシとトップブラシとの中心間距離及びトップブラシの半径を加算した長さのスペースが最大車長の被洗浄車両の後方に必要になる。このため、洗車機本体の前後ストロークが長くなり、洗車機の設置スペースが大きくなる問題があった。
【０００９】
本発明は、設置スペースの省スペース化を図ることのできる洗車機及び洗車方法を提供することを目的とする。
【課題を解決するための手段】
【００１０】
上記目的を達成するために本発明の洗車機は、被洗浄車両に対して前後に移動して洗車開始時に所定の洗車開始位置に配される洗車機本体と、前記洗車機本体に配される左右一対の第１サイドブラシと、前記第１サイドブラシに対して前記洗車機本体の入口面側に配されるとともに被洗浄車両の上面を洗浄するトップブラシと、前記トップブラシに対して前記第１サイドブラシの反対側に配される第２サイドブラシとを備え、前記第１サイドブラシによって被洗浄車両の両側面の前部及び被洗浄車両の前面を洗浄し、前記第２サイドブラシによって被洗浄車両の両側面の後部及び被洗浄車両の後面を洗浄することを特徴とする。
【００１１】
また、本発明は上記構成の洗車機において、前記トップブラシと前記第２サイドブラシとの間に被洗浄車両の形状を検出する車両検出センサを設け、前記車両検出センサにより検出される被洗浄車両の後端まで前記トップブラシによる洗浄が行われると前記洗車機本体を停止し、少なくともこの時の前記第１サイドブラシの位置に前記第２サイドブラシが配されるまで前記洗車機本体を前記洗車開始位置に向かって移動させて前記第２サイドブラシによる洗浄を行うことを特徴とする。
【００１２】
また、本発明は上記構成の洗車機において、前記洗車機本体が前記洗車開始位置から被洗浄車両の後方に向かって移動する際に前記車両検出センサにより被洗浄車両のドアミラーの位置を検出し、前記ドアミラーの位置を検出するまで前記第２サイドブラシを停止するとともに、前記第２サイドブラシが前記ドアミラーを超えた後に前記第２サイドブラシによる被洗浄車両の側面の洗浄を行うことを特徴とする。
【００１３】
また、本発明は上記構成の洗車機において、前記洗車機本体が前記洗車開始位置から被洗浄車両の後方に向かって移動する際に前記第２サイドブラシを駆動するとともに前記車両検出センサにより被洗浄車両のドアミラーの位置を検出し、前記第２サイドブラシが前記ドアミラーを超えた後の前記第２サイドブラシの回転数が超える前の回転数よりも高いことを特徴とする。
【００１４】
また、本発明は上記構成の洗車機において、前記トップブラシと前記第２サイドブラシとの間に被洗浄車両の形状を検出する車両検出センサを設け、前記洗車機本体が前記洗車開始位置から被洗浄車両の後方に向かって移動する際に所定位置から前記第２サイドブラシによる被洗浄車両の側面の洗浄を行い、前記車両検出センサにより検出される被洗浄車両の後端まで前記トップブラシによる洗浄が行われると前記洗車機本体を停止し、被洗浄車両の後面を洗浄可能な位置に前記第２サイドブラシが配されるまで前記洗車機本体を前記洗車開始位置に向かって移動させた後に前記第２サイドブラシによる洗浄を行うことを特徴とする。
【００１５】
また、本発明は上記構成の洗車機において、前記車両検出センサにより被洗浄車両のドアミラーの位置を検出し、前記所定位置が被洗浄車両に対して前記ドアミラーよりも後方であることを特徴とする。
【００１６】
また、本発明は上記構成の洗車機において、前記車両検出センサにより被洗浄車両のドアミラーの位置を検出し、前記第２サイドブラシが前記ドアミラーを超えた後の前記第２サイドブラシの回転数が超える前の回転数よりも高いことを特徴とする。
【００１７】
また、本発明は上記構成の洗車機において、一の前記第２サイドブラシによって被洗浄車両の両側面及び後面を洗浄することを特徴とする。
【００１８】
また、本発明は上記構成の洗車機において、前記洗車機本体による洗車の開始時に前記第２サイドブラシが被洗浄車両の助手席側に配されることを特徴とする。
【００１９】
また、本発明は上記構成の洗車機において、前記洗車機本体が左右に対向する２つのスタンド部と、前記スタンド部の上端を連結する天井部とを有した門型に形成され、前記洗車機本体を前記洗車開始位置へ復帰させる操作を行う復帰部を両方の前記スタンド部に設けたことを特徴とする。
【００２０】
また、本発明は上記構成の洗車機において、第２サイドブラシが左右一対設けられることを特徴とする。
【００２１】
また、本発明は上記構成の洗車機において、前記洗車機本体が前後ストロークの終端近傍に配された際に前記第２サイドブラシを停止することを特徴とする
【００２２】
また、本発明は上記構成の洗車機において、被洗浄車両に向けて送風して被洗浄車両を乾燥させる送風ノズルを備え、前記送風ノズルが前記トップブラシと前記第２サイドブラシとの間に配されることを特徴とする。
【００２３】
上記目的を達成するために本発明の洗車方法は、被洗浄車両に対して前後に移動して洗車開始時に所定の洗車開始位置に配される洗車機本体と、前記洗車機本体に配される左右一対の第１サイドブラシと、前記第１サイドブラシに対して前記洗車機本体の入口面側に配されるとともに被洗浄車両の上面を洗浄するトップブラシと、前記トップブラシに対して前記第１サイドブラシの反対側に配される第２サイドブラシとを備え、前記第１サイドブラシによって被洗浄車両の両側面の前部及び被洗浄車両の前面を洗浄し、前記第２サイドブラシによって被洗浄車両の両側面の後部及び被洗浄車両の後面を洗浄することを特徴とする。
【発明の効果】
【００２４】
本発明によると、トップブラシに対して前方に配した第１サイドブラシによって被洗浄車両の両側面の前部及び被洗浄車両の前面を洗浄する。また、トップブラシに対して後方に配した第２サイドブラシによって被洗浄車両の両側面の後部及び被洗浄車両の後面を洗浄する。これにより、洗車機本体の前後ストロークを短縮し、洗車機の設置スペースの省スペース化を図ることができる。また、省スペース化できる洗車方法を提供できる。
【図面の簡単な説明】
【００２５】
【図１】本発明の第１実施形態の洗車機を示す側面図
【図２】本発明の第１実施形態の洗車機を示す正面図
【図３】本発明の第１実施形態の洗車機の洗車状態を示す上面図
【図４】本発明の第１実施形態の洗車機の洗車状態を示す上面図
【図５】本発明の第１実施形態の洗車機の洗車状態を示す上面図
【図６】本発明の第１実施形態の洗車機の洗車状態を示す上面図
【図７】本発明の第２実施形態の洗車機の洗車状態を示す上面図
【図８】本発明の第２実施形態の洗車機の洗車状態を示す上面図
【図９】本発明の第３実施形態の洗車機の洗車状態を示す上面図
【発明を実施するための形態】
【００２６】
以下に図面を参照して本発明の実施形態を説明する。図１、図２は本発明の第１実施形態の洗車機を示す側面図及び正面図である。洗車機ＷＡはリモートパネル７及び洗車機本体１を備えている。
【００２７】
リモートパネル７は被洗浄車両ＣＡの走行路Ｒに沿って配される。被洗浄車両ＣＡはリモートパネル７の面前で停車し、ユーザは被洗浄車両ＣＡ内からリモートパネル７の操作によって洗車条件の設定を行う。
【００２８】
リモートパネル７に設けたボタンにより、シャンプー、ワックス掛け、撥水コート等に使用する液剤を用いた洗車条件を設定することができる。また、リモートパネル７によってフロントガード有り、フェンダーポール有り、サイドミラー有り、リヤワイパ有り、ルーフキャリア有り等の装備品の設定もすることができる。
【００２９】
洗車機本体１は左右の対向する２つのスタンド部９０と、スタンド部９０の上端を連結する天井部９１とを有した門型に形成される。地面Ｇ上には左右一対のレール２が敷設され、スタンド部９０の底面に設けた車輪３がレール２上に配される。これにより、洗車機本体１はレール２上に立設し、走行モータ（不図示）の駆動によりレール２上を走行して被洗浄車両ＣＡに対して前後に移動する。
【００３０】
なお、前後方向の一端の車輪３は洗車機本体１の入口面１ａからリモートパネル７側に突出したアングル５０上に設けられる。これにより、後述するように入口面１ａの外側に配したサイドブラシ３０の重量による洗車機本体１の転倒が防止される。
【００３１】
スタンド部９０には洗剤やワックス等の各種液剤を貯液した複数の貯液タンク（不図示）を収納するタンク収納部２９が配される。タンク収納部２９の上方には各貯液タンクからの液剤を分配する分配配管部２８が設けられる。分配配管部２８には噴射ノズルからなる第１、第２浄水ノズル１１、１３、第１、第２洗剤ノズル１２、１５、撥水コートノズル１４、ワックスノズル１６がそれぞれ電磁弁（不図示）を介して導出される。
【００３２】
第１、第２浄水ノズル１１、１３は洗車機本体１の入口面１ａ側及び出口面１ｂ側にそれぞれ配され、被洗浄車両ＣＡに対して洗浄水を噴射する。第１、第２洗剤ノズル１２、１５は洗車機本体１の入口面１ａ側及び出口面１ｂ側にそれぞれ配され、被洗浄車両ＣＡに対して洗剤を噴射する。撥水コートノズル１４及びワックスノズル１６は洗車機本体１の出口面１ｂ側に配される。撥水コートノズル１４は被洗浄車両ＣＡに対して撥水コート剤の液体を噴射する。ワックスノズル１６は被洗浄車両ＣＡに対して液体のワックスを噴射する。
【００３３】
洗車機本体１の一方のスタンド部９０の前面には操作パネル８が配される。操作パネル８は洗車条件を設定するリモートパネル７と同様の操作ボタン（不図示）を備えている。さらに、操作パネル８は緊急時に洗車機本体１が洗車を開始する洗車開始位置へ復帰する復帰ボタン５２（復帰部）を備えている。操作パネル８の表面には防水カバー（不図示）が着脱可能に設けられている。また、他方のスタンド部９０の前面にも復帰ボタン５２が設けられる。なお、復帰ボタン５２はスタンド部９０の側面に設けてもよい。
【００３４】
また、スタンド部９０の前面には車両検出センサ９が設けられている。車両検出センサ９は発光部及び受光部を有した光電センサ、超音波センサ等から成り、洗車機本体１に進入する被洗浄車両ＣＡの車長、ドアミラーＣＡ１（図３参照）の位置及び外面形状を検知する。
【００３５】
洗車機本体１には気流を発生して被洗浄車両ＣＡを乾燥させるブロア２０が設けられる。ブロア２０にはサイド送風ノズル２２及びトップ送風ノズル２１から成る複数の送風ノズルが接続される。サイド送風ノズル２２は両スタンド部９０にそれぞれ設けられ、被洗浄車両ＣＡの側面に向けて送風する。トップ送風ノズル２１は天井部９１に設けられ、被洗浄車両ＣＡの上面に向けて送風する。
【００３６】
なお、トップ送風ノズル２１はサイド送風ノズル２２よりも洗車機本体１の入口面１ａ側に配される。また、トップ送風ノズル２１及びサイド送風ノズル２２は後述するトップブラシ４とサイドブラシ３０との間に配される。
【００３７】
洗車機本体１には被洗浄車両ＣＡ上に摺動してブラッシングするトップブラシ４、サイドブラシ５（第１サイドブラシ）、ロッカーブラシ６及びサイドブラシ３０（第２サイドブラシ）から成る複数の回転ブラシが設けられる。
【００３８】
サイドブラシ５は洗車機本体１の入口面１ａと反対側の端部に左右一対に設けられる。また、サイドブラシ５は回転軸（不図示）を上下方向に配して被洗浄車両ＣＡの前面及び被洗浄車両ＣＡの側面の前部の洗浄領域Ｔ１（図４参照）を洗浄する。
【００３９】
トップブラシ４はサイドブラシ５に対して洗車機本体１の入口面１ａ側に配される。また、トップブラシ４は回転軸（不図示）を水平方向に配して被洗浄車両ＣＡの上面に沿って昇降し、被洗浄車両ＣＡの上面を洗浄する。ロッカーブラシ６はサイドブラシ５とトップブラシ４との間に配され、回転軸（不図示）を上下方向に配して被洗浄車両ＣＡの両側面の下部を洗浄する。
【００４０】
サイドブラシ３０はトップブラシ４に対してサイドブラシ５の反対側に配され、洗車機本体１の入口面１ａの外側に１つだけ設けられている。また、サイドブラシ３０は回転軸３０ａを上下方向に配し、入口面１ａに左右に延びて設けられる案内部３１に回転軸３０ａの上端を支持して左右方向に移動可能に配される。これにより、サイドブラシ３０は被洗浄車両ＣＡの側面の後部の洗浄領域Ｔ２（図５参照）及び被洗浄車両ＣＡの後面を洗浄する。
【００４１】
各回転ブラシは回転軸を形成するシャフトの周面に布、スポンジ等の複数の洗浄材が取り付けられる。このため、回転軸を上下方向に配したロッカーブラシ６、サイドブラシ５及びサイドブラシ３０は回転停止時に洗浄材が垂れ下がるため小径になり、回転時に遠心力で洗浄材が広がるため大径になる。
【００４２】
洗車機本体１の両スタンド部９０にはリモートパネル７側に突出した飛水防止板５１が設けられる。飛水防止板５１は軟質の板材により形成され、サイドブラシ３０の側方を覆うように配されている。
【００４３】
上記構成の洗車機ＷＡにおいて、リモートパネル７から所定の洗車設定を行い所定の位置に被洗浄車両ＣＡを停止させる。この時、サイドブラシ３０は被洗浄車両ＣＡの助手席側（通常左側）に配されている。これにより、運転手が洗車開始前に容易に降車することができる。なお、被洗浄車両ＣＡの運転席が左側の場合は被洗浄車両ＣＡの進入前にサイドブラシ３０を手動で移動させて被洗浄車両ＣＡの右側に配してもよい。また、リモートパネル７によって被洗浄車両ＣＡの運転席が右側か左側かを設定をできるようにしてもよい。これにより、被洗浄車両ＣＡの進入前にサイドブラシ３０を助手席側に配置することができる。
【００４４】
被洗浄車両ＣＡが所定位置に停止すると、洗車機本体１が洗車開始位置から前後方向に移動して洗車が行われる。図３〜図６は洗車機本体１による洗浄時の状態を示す上面図である。
【００４５】
洗車が開始されると、図３に示すように洗車機本体１は洗車開始位置から矢印Ｄ１に示すように被洗浄車両ＣＡの後方へ向かって移動を開始する。この時、洗車機本体１は車両検出センサ９により被洗浄車両ＣＡの形状を検知しながら移動する。洗車機本体１が移動しながらトップブラシ４が車両検出センサ９により検出した被洗浄車両ＣＡの形状に沿って昇降し、被洗浄車両ＣＡの上面の洗浄が行われる。
【００４６】
車両検出センサ９により検出した被洗浄車両ＣＡの前端にサイドブラシ５が配されると洗車機本体１が停止し、左右のサイドブラシ５が接近して被洗浄車両ＣＡの前面を洗浄する。
【００４７】
被洗浄車両ＣＡの前面を洗浄すると左右のサイドブラシ５が離れ、再び洗車機本体１は矢印Ｄ１に示すように被洗浄車両ＣＡの後方へ向かって移動する。この時、サイドブラシ３０の回転は停止され、サイドブラシ５は回転して被洗浄車両ＣＡの側面を洗浄する。
【００４８】
サイドブラシ５が車両検出センサ９により検知したドアミラーＣＡ１の近傍に配されると、サイドブラシ５の回転数を低下させる。そして、サイドブラシ５がドアミラーＣＡ１を通過すると、サイドブラシ５の回転数を増加させて元に戻す。これにより、ドアミラーＣＡ１の破損を防止することができる。
【００４９】
図４に示すようにトップブラシ４が車両検出センサ９により検知した被洗浄車両ＣＡの後端まで洗浄すると、洗車機本体１が停止してトップブラシ４及びサイドブラシ５が停止する。これにより、被洗浄車両ＣＡの上面の洗浄が完了し、両側面の前部の洗浄領域Ｔ１の洗浄が完了する。
【００５０】
この時、トップブラシ４とサイドブラシ３０との中心間距離をＬ、トップブラシ４の半径をＲ１、サイドブラシ３０の半径をＲ２とすると、被洗浄車両ＣＡの後方に洗車機本体１が突出する距離Ｓは約Ｌ＋Ｒ２−Ｒ１である。
【００５１】
次に、図５に示すように、洗車機本体１が被洗浄車両ＣＡの前方に向かって移動し、サイドブラシ３０が洗浄領域Ｔ１の終端に配されて洗車機本体１が停止する。そして、サイドブラシ３０は矢印Ｅ１に示すように、被洗浄車両ＣＡの両側面の後部の洗浄領域Ｔ２及び被洗浄車両ＣＡの後面を洗浄する。
【００５２】
即ち、洗車機本体１が被洗浄車両ＣＡの後方に向かって移動し、サイドブラシ３０により被洗浄車両ＣＡの一側面の洗浄領域Ｔ２が洗浄される。次に、洗車機本体１が停止し、サイドブラシ３０が案内部３１の案内によって左右方向に移動して被洗浄車両ＣＡの後面が洗浄される。次に、洗車機本体１が被洗浄車両ＣＡの前方に向かって移動し、サイドブラシ３０により被洗浄車両ＣＡの他側面の洗浄領域Ｔ２が洗浄される。
【００５３】
なお、洗浄領域Ｔ２の始端と洗浄領域Ｔ１の終端とは一致しているが、洗浄領域Ｔ２の始端を洗浄領域Ｔ１の終端よりも前方に設定してもよい。即ち、洗浄領域Ｔ１の洗浄後に少なくとも洗浄領域Ｔ１の終端にサイドブラシ３０が配されるまで洗車機本体１を前方に移動させればよい。
【００５４】
また、洗浄領域Ｔ１の洗浄後に洗車機本体１が前方に移動する間に、サイドブラシ３０により被洗浄車両ＣＡの一側面の洗浄領域Ｔ２を洗浄してもよい。
【００５５】
サイドブラシ３０による両側面の洗浄領域Ｔ２の洗浄が完了すると、図６に示すように、洗車機本体１が被洗浄車両ＣＡの後方に向かって移動して乾燥開始位置Ｕに配される。乾燥開始位置Ｕではトップ送風ノズル２１により被洗浄車両ＣＡの後面を乾燥でき、サイド送風ノズル２２により被洗浄車両ＣＡの側面の後端を乾燥できる。乾燥開始位置Ｕに配された洗車機本体１は矢印Ｄ２に示すように被洗浄車両ＣＡの前方に向かって移動する。これにより、トップ送風ノズル２１及びサイド送風ノズル２２によって被洗浄車両ＣＡの乾燥が行われる。
【００５６】
トップ送風ノズル２１、サイド送風ノズル２２により被洗浄車両ＣＡの乾燥が終了すると洗車機本体１は洗車開始位置に復帰し、被洗浄車両ＣＡが後退して退出する。その後、サイドブラシ３０が左右方向に移動して初期位置（左側）に移動する。これにより、洗車が終了する。
【００５７】
また、洗浄時に動作異常によりサイドブラシ３０の回転中に洗車機本体１が停止する場合がある。この時、復帰ボタン５２の操作により、洗車機本体１を洗車開始位置に復帰できる。復帰ボタン５２は左右のスタンド部９０に設けられているので、スタッフ等は回転中のサイドブラシ３０を回避していずれかの復帰ボタン５２を選択して操作できる。
【００５８】
本実施形態によると、トップブラシ４に対して前方に配したサイドブラシ５（第１サイドブラシ）によって被洗浄車両ＣＡの両側面の前部及び被洗浄車両ＣＡの前面を洗浄する。また、トップブラシ４に対して後方に配したサイドブラシ３０（第２サイドブラシ）によって被洗浄車両ＣＡの両側面の後部及び被洗浄車両ＣＡの後面を洗浄する。このため、洗車機本体１が被洗浄車両ＣＡの後方に突出する距離Ｓを小さくすることができる。これにより、洗車機本体１の前後ストロークを短縮し、洗車機ＷＡの設置スペースの省スペース化を図ることができる。また、省スペース化できる洗車方法を提供できる。
【００５９】
また、車両検出センサ９により検出される被洗浄車両ＣＡの後端までトップブラシ４による洗浄が行われると洗車機本体１を停止する。そして、少なくともこの時のサイドブラシ５の位置（洗浄領域Ｔ１の終端）にサイドブラシ３０が配されるまで洗車機本体１を洗車開始位置に向かって移動させてサイドブラシ３０による洗浄を行う。これにより、サイドブラシ５により被洗浄車両ＣＡの側面前部及び前面を洗浄し、サイドブラシ３０により被洗浄車両ＣＡの側面後部及び後面を洗浄する洗車機ＷＡを容易に実現できる。
【００６０】
また、一のサイドブラシ３０によって被洗浄車両ＣＡの両側面及び後面を洗浄するため、洗車機ＷＡのコスト増加を抑制することができる。
【００６１】
また、洗車機本体１による洗車の開始時にサイドブラシ３０が被洗浄車両ＣＡの助手席側に配されるので、洗車開始前に運転者が容易に降車することができる。
【００６２】
また、洗車機本体１を洗車開始位置へ復帰させる操作を行う復帰ボタン５２（復帰部）を両方のスタンド部９０に設けたので、回転中のサイドブラシ３０を回避して復帰ボタン５２を容易に操作することができる。
【００６３】
また、送風ノズルとサイドブラシ３０との配置を入れ替えると、被洗浄車両ＣＡの後方の必要スペースは同等にできるが、前方の必要スペースが長くなる。また、トップブラシ４は被洗浄車両ＣＡの後端の洗浄時に被洗浄車両ＣＡと重なるが、トップ送風ノズル２１は被洗浄車両ＣＡの後端の乾燥時に被洗浄車両ＣＡよりも後方に配される。このため、送風ノズルとトップブラシ４との配置を入れ替えると、被洗浄車両ＣＡの後方の必要スペースが長くなる。従って、送風ノズルをトップブラシ４とサイドブラシ３０との間に配することにより、洗車機本体１の前後ストロークを小さくすることができる。
【００６４】
本実施形態において、洗車機本体１が洗車開始位置から被洗浄車両ＣＡの後方に向かって移動する際に、ドアミラーＣＡ１の検出後にサイドブラシ３０を駆動してもよい。これにより、ドアミラーＣＡ１の破損を防止して被洗浄車両ＣＡの一側面の洗浄力をより向上できる。
【００６５】
この時、車両検出センサ９により被洗浄車両ＣＡの後端を検出すると、既に被洗浄車両ＣＡの後端を通過しているサイドブラシ３０を停止するとより望ましい。これにより、洗車機本体１の前後ストロークの終端近傍（洗車開始位置の反対側）でサイドブラシ３０を停止により小径にし、洗車機ＷＡの設置スペースの増加を防止することができる。即ち、洗車機本体１が前後ストロークの終端近傍に配された際にサイドブラシ３０を停止すればよい。
【００６６】
また、洗車機本体１が洗車開始位置から被洗浄車両ＣＡの後方に向かって移動する際に、サイドブラシ３０を低回転で駆動し、ドアミラーＣＡ１の検出後にサイドブラシ３０を高回転で駆動してもよい。これにより、ドアミラーＣＡ１の破損を防止して被洗浄車両ＣＡの一側面の洗浄力をより向上できる。
【００６７】
＜第２実施形態＞
次に、図７、８は第２実施形態の洗車機ＷＡの洗浄状態を示す平面図である。説明の便宜上、前述の図１〜図６に示す第１実施形態と同様の部分には同一の符号を付している。本実施形態は第１実施形態に対してサイドブラシ３０の洗浄開始位置が異なっている。その他の部分は第１実施形態と同様である。
【００６８】
洗車が開始されると、洗車機本体１が洗車開始位置から被洗浄車両ＣＡの後方に向かって移動する。これにより、トップブラシ４により被洗浄車両ＣＡの上面の洗浄が開始されるとともに、サイドブラシ５により被洗浄車両ＣＡの前面が洗浄され、洗浄領域Ｔ１の洗浄が開始される。
【００６９】
また、車両検出センサ９によりドアミラーＣＡ１が検出されると、サイドブラシ３０が回転して被洗浄車両ＣＡの一側面の洗浄を行う。この時、サイドブラシ３０はドアミラーＣＡ１よりも後方に配される。これにより、サイドブラシ５及びサイドブラシ３０によって被洗浄車両ＣＡの側面が洗浄される。
【００７０】
前述の図４に示すように、トップブラシ４が車両検出センサ９により検知した被洗浄車両ＣＡの後端まで洗浄すると、洗車機本体１が停止してトップブラシ４、サイドブラシ５及びサイドブラシ３０が停止する。これにより、サイドブラシ３０が洗車機本体１の前後ストロークの終端近傍で停止されるため、洗車機ＷＡの設置スペースの増加を防止できる。
【００７１】
次に、図８に示すように、洗車機本体１が被洗浄車両ＣＡの前方に向かって移動し、サイドブラシ３０が被洗浄車両ＣＡの後面を洗浄可能な位置に配される。そして、サイドブラシ３０は矢印Ｅ２に示すように、被洗浄車両ＣＡの被洗浄車両ＣＡの後面及び他側面（運転席側）の洗浄領域Ｔ２を洗浄する。
【００７２】
これにより、第１実施形態よりもトップブラシ４による洗浄後のサイドブラシ３０の洗浄面積が少ないため、洗車時間を短縮することができる。
【００７３】
なお、洗車機本体１が洗車開始位置から被洗浄車両ＣＡの後方に向かって移動する際に、ドアミラーＣＡ１よりも前方でサイドブラシ３０による洗浄を開始してもよい。即ち、所定位置でサイドブラシ３０による洗浄を開始すればよい。しかし、ドアミラーＣＡ１を超えてからサイドブラシ３０による洗浄を開始すると、ドアミラーＣＡ１の破損を防止できるためより望ましい。
【００７４】
また、サイドブラシ３０は少なくとも洗浄領域Ｔ１の終端で洗浄を開始する必要がある。しかし、車両検出センサ９が被洗浄車両ＣＡの後端を検知する前にサイドブラシ３０が洗浄領域Ｔ１の終端を通過する。このため、車両検出センサ９がドアミラーＣＡ１を検知すると直ちにサイドブラシ３０による洗浄を開始するとより望ましい。これにより、未洗浄領域の発生を防止することができる。
【００７５】
本実施形態によると、第１実施形態と同様の効果を奏することができる。また、洗車機本体１が洗車開始位置から被洗浄車両ＣＡの後方に向かって移動する際に所定位置でサイドブラシ３０による被洗浄車両ＣＡの一側面を洗浄する。その後、トップブラシ４による被洗浄車両ＣＡの後端を洗浄すると、被洗浄車両ＣＡの後面を洗浄可能な位置にサイドブラシ３０が配されるまで洗車機本体１を洗車開始位置に向かって移動させる。そして、サイドブラシ３０による洗浄を行う。これにより、トップブラシ４による洗浄後のサイドブラシ３０の洗浄面積を少なくし、洗車時間を短縮することができる。
【００７６】
また、車両検出センサ９により被洗浄車両ＣＡのドアミラーＣＡ１の位置を検出してサイドブラシ３０がドアミラーＣＡ１よりも後方に配された後、サイドブラシ３０による洗浄を行うので、ドアミラーＣＡ１の破損を防止することができる。
【００７７】
本実施形態において、被洗浄車両ＣＡの洗浄の開始時にサイドブラシ３０を低回転で駆動し、車両検出センサ９によりドアミラーＣＡ１を検出した後にサイドブラシ３０を高回転で駆動してもよい。
【００７８】
＜第３実施形態＞
次に、図９は第３実施形態の洗車機ＷＡの洗浄状態を示す平面図である。説明の便宜上、前述の図１〜図６に示す第１実施形態と同様の部分には同一の符号を付している。本実施形態は第１実施形態に対してサイドブラシ３０が左右一対に設けられ、案内部３１（図２参照）が省かれている点が異なっている。その他の部分の構成は第１実施形態と同様である。
【００７９】
第１実施形態と同様に、前述の図４に示すように、被洗浄車両ＣＡの後端までトップブラシ４による洗浄が行われると洗車機本体１を停止する。次に、図９に示すように、洗車機本体１を被洗浄車両ＣＡの前方へ移動させて洗浄領域Ｔ１の終端にサイドブラシ３０が配される。
【００８０】
そして、矢印Ｅ３に示すように左右のサイドブラシ３０が移動して被洗浄車両ＣＡの洗浄領域Ｔ２及び後面が洗浄される。即ち、洗車機本体１が後方に移動し、左右のサイドブラシ３０によって被洗浄車両ＣＡの両側面の後部の洗浄領域Ｔ２がそれぞれ洗浄される。次に、洗車機本体１が停止し、左右のサイドブラシ３０が互いに接近して被洗浄車両ＣＡの後面が洗浄される。
【００８１】
本実施形態によると、第１実施形態と同様の効果を奏することができる。また、サイドブラシ３０が左右一対設けられるため、洗浄時間を短縮することができる。
【００８２】
本実施形態において、第２実施形態と同様に、洗車機本体１が洗車開始位置から被洗浄車両ＣＡの後方に向かって移動する際にドアミラーＣＡ１を検出した後にサイドブラシ３０による被洗浄車両ＣＡの側面の洗浄を行ってもよい。そして、トップブラシ４による洗浄完了後、被洗浄車両ＣＡの後面を洗浄可能な位置にサイドブラシ３０を配して被洗浄車両ＣＡの後面を洗浄する。これにより、洗浄時間を更に短縮することができる。
【産業上の利用可能性】
【００８３】
本発明によると、被洗浄車両を洗浄する回転ブラシを備えた洗車機及び洗車方法に利用することができる。
【符号の説明】
【００８４】
１    洗車機本体
１ａ  入口面
２    レール
３    車輪
４    トップブラシ
５    サイドブラシ（第１サイドブラシ）
６    ロッカーブラシ
７    操作パネル
９    車両検出センサ
２０    ブロア
２１    トップ送風ノズル
２２    サイド送風ノズル
２８    分配配管部
２９    タンク収納部
３０    サイドブラシ（第２サイドブラシ）
３０ａ  回転軸
３１    案内部
５０    アングル
５１    飛水防止板
５２    復帰ボタン（復帰部）
９０    スタンド部
９１    天井部
ＣＡ    被洗浄車両
Ｇ      地面
Ｒ      走行路
Ｔ１    第１洗浄領域
Ｔ２    第２洗浄領域
Ｕ    乾燥開始位置
ＷＡ    洗車機
【図１】
2019064590.tif 000003
【図２】
2019064590.tif 000004
【図３】
2019064590.tif 000005
【図４】
2019064590.tif 000006
【図５】
2019064590.tif 000007
【図６】
2019064590.tif 000008
【図７】
2019064590.tif 000009
【図８】
2019064590.tif 000010
【図９】
2019064590.tif 000011